(57)【要約】【課題】コネクタ付きのリード線を用いたり、スピーカ自体の構造を変更したりする必要がなく、スピーカをプリント基板に対して容易かつ短時間に接続することができ、接続ミスを防止し得るようにしたスピーカの取付構造およびアレイスピーカ装置を提供する。【解決手段】フロントパネル３にスピーカ４を取付け、このスピーカ４の各信号入力端子７，７に導電性とばね性を有する圧縮コイルばね１０の一端をファストン端子１１を介してそれぞれ接続する。そして、各圧縮コイルばね１０の他端をプリント基板１２に設けたランド１３に圧接し電気的に接続する。【選択図】  図２
2005064796.tif 000002
【特許請求の範囲】
【請求項１】
フロントパネルにスピーカを取付け、このスピーカの信号入力端子に導電性とばね性を有する圧縮コイルばねの一端を接続し、この圧縮コイルばねの他端をプリント基板に設けたランドに圧接したことを特徴とするスピーカの取付構造。
【請求項２】
フロントパネルに複数個のスピーカをアレイ状に取付けたアレイスピーカ装置において、
前記各スピーカの信号入力端子に導電性とばね性を有する圧縮コイルばねの一端を接続し、この圧縮コイルばねの他端をプリント基板に設けたランドに圧接したことを特徴とするアレイスピーカ装置。
【発明の詳細な説明】
【技術分野】
【０００１】
本発明は、スピーカの取付構造およびアレイスピーカ装置に関し、特にスピーカとプリント基板との接続構造の改良に関する。
【背景技術】
【０００２】
プリント基板に対するスピーカの接続方法としては、（１）スピーカに突設した一対の信号入力端子をプリント基板に設けた孔に差し込んで固定し電気的に接続する方法（例えば、特許文献１，２参照）と、（２）スピーカに設けたリード線をコネクタを介してプリント基板のコネクタに接続する方法（例えば、特許文献１，２参照）と、（３）スピーカに設けた板ばね状の端子をプリント基板のランド（接続部）に圧接する方法（例えば、特許文献３，４参照）の３種類が一般的である。
【０００３】
【特許文献１】実開平３−３８９８号公報（第１図、第２図）
【特許文献２】実開平３−３７８３号公報（第３図、第４図）
【特許文献３】特開２００２−３０５５７８号公報（図１１）
【特許文献４】特開平１１−１３６７９５号公報（図１）
【０００４】
その他の接続方法としては、（４）スピーカに設けた一方のコネクタをプリント基板に設けた他方のコネクタに接続するようにしたものも知られている（例えば、上記特許文献３の図１参照）。
【発明の開示】
【発明が解決しようとする課題】
【０００５】
しかしながら、上記した従来の接続方法は、いずれも以下に述べるような問題があった。
（１）のスピーカに突設した一対の信号入力端子をプリント基板に設けた孔に差し込んで電気的に接続する方法は、細いピン状の端子を孔に差し込むとき、一対の端子の間隔と一対の孔の間隔とが正しく一致していないと差し込むことができず、端子と孔の間隔に高い寸法精度が要求されるという問題があった。
（２）のスピーカに設けたリード線をコネクタを介してプリント基板に接続する方法は、プリント基板側のコネクタをスピーカの取付部から離れた箇所に設けることができるという利点がある反面、コネクタの付いたリード線を必要とし、しかもコネクタどうしの接続工程が必要であるため、組み立て作業が繁雑になるという問題があった。特に、複数個のスピーカをアレイ状に配置したアレイスピーカ装置の場合は、コネクタどうしの接続ミスが起こらないように各スピーカ毎にプリント基板側のコネクタを確認してリード線側のコネクタを接続しなければならず、接続に時間がかかる。さらに、リード線が長い場合は、他の電気部品に引っ掛かったりしないようリード線の引き回しに注意を払う必要がある。
（３）スピーカに設けた板ばね状の端子をプリント基板のランドに圧接する方法は、スピーカを板ばね状の端子が固定可能な構造にするとともに、スピーカ専用の板ばね状端子を製作する必要があるため、製造コストが高くなる。また、プリント基板にスピーカを固定するための固定手段を設ける必要があるため、プリント基板自体の製作が面倒であり特殊な基板となる。また、複数個の固定手段をプリント基板に設けると、そのためのスペースを必要とするため、電子部品の実装効率が低下する。
（４）のスピーカに設けた一方のコネクタをプリント基板に設けた他方のコネクタに接続する方法は、スピーカ側のコネクタがスピーカの側方に張り出しているためスピーカ全体が大型化するという問題があった。また、プリント基板側のコネクタにスピーカ側のスピーカを接続することによりスピーカをプリント基板から浮かせて支持しているため、片持ち支持構造となり、振動、衝撃等によってスピーカが振れ易く安定性に欠けるという問題もあった。
【０００６】
本発明は上記した従来の問題を解決するためになされたもので、その目的とするところは、コネクタ付きのリード線を必要とせず、またスピーカ自体の構造を変更したりする必要がなく、スピーカをプリント基板に対して容易かつ短時間に接続することができ、接続ミスを防止し得るようにしたスピーカの取付構造およびアレイスピーカ装置を提供することを目的とするものである。
【課題を解決するための手段】
【０００７】
上記目的を達成するために、第１の発明に係るスピーカの取付構造は、フロントパネルにスピーカを取付け、このスピーカの信号入力端子に導電性とばね性を有する圧縮コイルばねの一端を接続し、この圧縮コイルばねの他端をプリント基板に設けたランドに圧接したものである。
【０００８】
第２の発明に係るアレイスピーカ装置は、フロントパネルに複数個のスピーカをアレイ状に取付けたアレイスピーカ装置において、前記各スピーカの信号入力端子に導電性とばね性を有する圧縮コイルばねの一端を接続し、この圧縮コイルばねの他端をプリント基板に設けたランドに圧接したものである。
【発明の効果】
【０００９】
第１，２の発明によれば、リード線やコネクタを必要とせず圧縮コイルばねをプリント基板のランドに圧接するだけでスピーカをプリント基板に対して電気的に接続することができる。圧縮コイルばねと信号入力端子との接続は、市販のファストン端子を用いるかまたは半田によって接続すればよいので、スピーカ自体の構造を変更する必要がない。プリント基板のランドは圧縮コイルばねに対応するようにスピーカの取付部に設けられているので、スピーカとプリント基板とを位置決めすれば接続ミスが起こらず短時間に組み付けることができ、特に複数個のスピーカを備えたアレイスピーカ装置の場合に有利である。また、圧縮コイルばねはランドに圧接されるとある程度の長さをもって線状に接触するため、接続の信頼性も優れている。
【発明を実施するための最良の形態】
【００１０】
以下、本発明を図面に示す実施の形態に基づいて詳細に説明する。
図１は本発明に係るアレイスピーカ装置の一実施の形態を示す外観斜視図、図２はスピーカの取付構造を示す断面図である。これらの図において、全体を符号１で示すアレイスピーカ装置は、薄箱縦型のスピーカキャビネット２のフロントパネル３に所定の間隔をおいてアレイ状に取付けた複数個のスピーカ４を備え、これらのスピーカ４を個々独立に制御して音を再生するスピーカ装置である。このため、アレイスピーカ装置１は、各スピーカ４に対応する図示を省略した複数のＡ／Ｄ変換器、Ｄ／Ａ変換器と、遅延回路と、アンプ等を内蔵しており、指向性の高いスピーカシステムを構築している。このような指向性の高いスピーカシステムとしては、例えば特許文献５，６，７によって提案されているものが知られている。
【００１１】
【特許文献５】国際公開０１／２３１０４号  パンフレット
【特許文献６】特開平０７−２０３５８１号公報
【特許文献７】特開２００１−０６９５９１号公報
【００１２】
ここで、図１においては、スピーカ４をフロントパネル３の裏面側に１４個設けた例を示しているが、実際には数百個（２００〜３００個）取付けられるものである。また、各スピーカ４は全て同一でフルレンジのスピーカからなり、図２に示すようにヨーク部６の背面に突設した一対の信号入力端子７，７を有し、コーンＣを収納するフレーム部８が前記フロントパネル３の裏面に複数個の止めねじ９によって固定されている。また、各信号入力端子７には、圧縮コイルばね１０の一端１０ａがファストン端子１１を介してそれぞれ接続されており、この圧縮コイルばね１０の自由端１０ｂ（他端）を前記スピーカキャビネット２内にフロントパネル３と平行になるように配置したプリント基板１２のランド１３に圧接することにより、スピーカ４をプリント基板１２の電気回路に対して電気的に接続している。圧縮コイルばね１０の材質としては、導電性とばね性を有する金属材料であればよい。プリント基板１２のランド１３は、各スピーカ４に対して一対ずつ各圧縮コイルばね１０に対応するように形成されている。なお、１４はフロントパネル３の表面を覆うグリルネット、１５は放音孔である。
【００１３】
プリント基板１２に対するスピーカ４の取付けに際しては、予めスピーカ４をフロントパネル３の裏面に止めねじ９によって固定するとともに各信号入力端子７に圧縮コイルばね１０をファストン端子１１を介して取付ける。次に、スピーカ４が取付けられたフロントパネル３を圧縮コイルばね１０が鉛直下方を指向するように表面側を上にして水平に保持し、プリント基板１２をフロントパネル３の下方にランド１３が上を向くように水平に、かつランド１３が圧縮コイルばね１０と対応一致するように配置する。そして、フロントパネル３を下降させて圧縮コイルばね１０の自由端１０ｂをランド１３に圧接し、フロントパネル３とプリント基板１２を止めねじ等の固定手段によって一体的に結合するか、または予めプリント基板１２をスピーカキャビネット２内に固定しておき、フロントパネル３をスピーカキャビネット２の前面開口部に固定する。
【００１４】
このようなスピーカ４のプリント基板１２に対する取付構造によれば、プリント基板１２側にランド１３を各圧縮コイルばね１０に対応して形成するだけでよいので、プリント基板１２にコネクタを固定したりスピーカを固定するための固定手段を設ける必要がなく、プリント基板１２の構造が簡単で容易かつ安価に製作することができ、また圧縮コイルばね１０とランド１３は互いに対応しているので、フロントパネル３とプリント基板１２を位置決めすれば、圧縮コイルばね１０をランド１３に対して確実に圧接することができて接続ミスが発生せず、端子接続の信頼性を向上させることができる。
【００１５】
また、コネクタ付きのリード線を必要としないのでリード線の引き回しに注意を払う必要がなく、短時間に組み付けることができる。
また、スピーカ４はピン状の信号入力端子７を備えた市販のものを使用することができるので、特別な加工等を施す必要がなく、圧縮コイルばね１０をファストン端子１１を介して容易に取付けることができる。ただし、ファストン端子１１の代わりに半田付けによって接続することも可能である。
また、圧縮コイルばね１０は圧縮されることにより自由端１０ｂがランド１３に対してある程度の長さをもって線状に接触するため、ランド１３を高い位置精度をもって形成する必要がない。
さらに、圧縮コイルばね１０は市販のばねを使用することができるため、板ばね状の端子に比べて安価である。
【００１６】
図３は本発明の他の実施の形態を示す断面図である。
この実施の形態はスピーカ４の後方に第１、第２のプリント基板１２Ａ，１２Ｂをフロントパネル３に対して平行になるように配置し、第２のプリント基板１２Ｂを第１のプリント基板１２Ａの中継基板とし、この中継基板１２Ｂと第１のプリント基板１２Ａを一対一組からなる２組のコネクタ１５，１５によって電気的に接続し、中継基板１２Ｂに形成したランド１３，１３にスピーカ４に設けた一対の圧縮コイルばね１０，１０の自由端を圧接したものである。ただし、コネクタ１５は１つのスピーカ４に対応させる必要はなく、複数のスピーカ４の信号線が中継基板１２Ｂの配線によりコネクタ１５に集中させることも可能である。また、中継基板１２Ｂを用いる場合は、第１のプリント基板１２Ａを中継基板１２Ｂと同一の大きさにする必要はなく、電気回路規模に合わせた面積のものであればよい。なお、第２のプリント基板１２Ｂは上記した実施の形態におけるプリント基板１２に相当する。その他の構成は上記した実施の形態と同様である。
【００１７】
このような構造においては、第１のプリント基板１２Ａの電気回路を修正する場合、第１のプリント基板１２Ａを中継基板１２Ｂから外すだけで、スピーカ４自体は取り外す必要がないので、第１のプリント基板１２Ａの取外しに便利である。
【００１８】
図４は本発明のさらに他の実施の形態を示す断面図である。
この実施の形態は複数個のスピーカ４をそれぞれ小さなスピーカボックス２０に分けて収納し、これらのスピーカ４を１つの大きなスピーカキャビネット２内に収納して構成したものである。各スピーカ４に設けられている一対の圧縮コイルばね１０，１０はスピーカボックス２０の後方に突出し、プリント基板１２のランド１３にそれぞれ圧接されている。プリント基板１２は、スピーカキャビネット２の内面に複数個の止めねじ２１によって固定されている。
【００１９】
このような構造においては、各スピーカ４をスピーカボックス２０に収納することにより音の独立性を確保しているので、アレイスピーカ装置の音響特性をより一層向上させることができる。
【００２０】
なお、上記した実施の形態はいずれもアレイスピーカ装置におけるスピーカの取付構造として説明したが、本発明はこれに何ら限定されるものではなく、一般のスピーカ装置、例えばトールボーイ型やブックシェルフ型のスピーカ装置におけるスピーカの取付構造にも適用することができる。
また、圧縮コイルばね１０をランド１３に対して圧接するだけでなく、必要に応じて半田付けによって固定してもよい。
また、プリント基板１２の取付けは、スピーカキャビネット２側に限らずスピーカボックス２０側であってもよい。
また、図４においては、個々独立した複数のスピーカボックス２０を隣接させて配置しているため、各スピーカボックス２０毎に左右２枚の側板を備えているが、互いに隣り合うスピーカボックス２０の仕切を１枚の側板に集約したり、各スピーカボックスの背面板を１枚の背面板に集約させるようにしてもよい。
さらに、上記した実施の形態においては１枚のプリント基板１２、中継基板１２Ｂに全てのスピーカ４を組み付けるようにした例を示したが、本発明はこれに何ら限定されるものではなく、例えば横に長いスピーカ装置の場合は横方向に２分割または３分割されたプリント基板（中継基板）に対してスピーカ４を組み付けるようにしてもよい。
【図面の簡単な説明】
【００２１】
【図１】本発明に係るアレイスピーカ装置の一実施の形態を示す外観斜視図である。
【図２】スピーカの取付構造を示す断面図である。
【図３】本発明の他の実施の形態を示す断面図である。
【図４】本発明のさらに他の実施の形態を示す断面図である。
【符号の説明】
【００２２】
１…アレイスピーカ装置、２…スピーカキャビネット、３…フロントパネル、４…スピーカ、７…信号入力端子、１０…圧縮コイルばね、１１…ファストン端子、１２…プリント基板、１３…ランド、２０…スピーカボックス。
【図１】
2005064796.tif 000003
【図２】
2005064796.tif 000004
【図３】
2005064796.tif 000005
【図４】
2005064796.tif 000006